(57)【特許請求の範囲】
【請求項１】
ショーケースの基台の上面に商品陳列部を設け、斜め前下方へ傾斜した透明の前壁と、後壁と、左右側壁と、前記前壁と前記後壁とに渡る上壁とを有して前記陳列部を覆うように陳列室カバー部を設けてなるショーケースにおいて、
前記前壁と前記上壁とは一体の透明板構成であって前記陳列室カバー部の基体に対して開閉可能に支持された開閉扉体を構成し、該開閉扉体は、開閉支持機構を有して当該開閉支持機構により、前記開閉扉体が前記商品陳列部を閉じた状態から前記前壁が前記商品陳列部の上方位置へ水平状態に回動して前記商品陳列部の前面を開くと共に、
前記開閉支持機構は、前記開閉扉体が前記商品陳列部を閉じた状態で前記上壁と後壁に沿った状態となることを特徴とするショーケース。
【請求項２】
前記水平状態において、前記開閉扉体の前端は、その上方からの塵埃等から前記商品陳列部の商品を保護するように前記商品陳列部の上方空間の手前側まで延びたことを特徴とする請求項１に記載のショーケース。
【請求項３】
前記後壁を、透明扉にて構成したことを特徴とする請求項１又は請求項２に記載のショーケース。
【請求項４】
前記後壁を、左右方向へ引き違いにて開閉できる扉構成としたことを特徴とする請求項１乃至請求項３の何れかに記載のショーケース。
【請求項５】
前記前壁の下端部には前記開閉扉体を開閉するための取っ手部を設け、前記開閉支持機構は、それぞれ離れた位置において一端が前記陳列室カバー部の基体に回動可能に支持され他端が前記開閉扉体の上壁に回動可能に支持された第１ステー及び第２ステーを有し、前記開閉扉体が閉じた状態では前記第１ステー及び第２ステーが重なり合った状態になり、前記開閉扉体が開いた水平状態では前記第１ステー及び第２ステーが前記重なり状態から離れて並設状態となるリンク機構ヒンジを構成することを特徴とする請求項１又は請求項２に記載のショーケース。
【請求項６】
前記開閉扉体の前記上壁の後端には、前記開閉扉体を開閉するための取っ手部を設けたことを特徴とする請求項１、請求項２又は請求項５に記載のショーケース。
【発明の詳細な説明】
【０００１】
【発明の属する技術分野】
本発明は、ショーケースの基台の上面に商品陳列部を設け、斜め前下方へ傾斜した透明の前壁と、後壁と、左右側壁と、前記前壁と前記後壁とに渡る上壁とを有して前記陳列部を覆うように陳列室カバー部を設けてなるショーケースにおいて、特に顧客が自ら商品を取り出すことのできる、所謂セルフ販売に適したショーケースに関する。
【０００２】
【従来の技術】
ショーケースの基台の上面に商品陳列部を設け、斜め前下方へ傾斜した透明の前壁と、後壁と、左右側壁と、前壁と後壁とに渡る上壁とを有して陳列部を覆うように陳列室カバー部を設けてなるショーケースの先行技術として、特公平６−９１８５５号がある。これは、ショーケースの背面から販売員が商品を取り出して商品の販売を行う対面販売方式を採用したショーケースであり、ショーケースの陳列室内の掃除や陳列室前面の透明な前面扉の内面の露等の掃除ために、前記前面扉を持ち上げ開放することができる構成である。
【０００３】
【発明が解決しようとする課題】
上記の先行技術では、陳列室内部の掃除を行う場合には、好適なものであるが、係るショーケースの商品の販売形態は、ショーケースの背面から店員が行う、所謂、対面販売方式である。このため、店員が行う対面販売に加えて、顧客自らが商品を手にとって商品を選択したり、また混雑する時間帯において販売を円滑に行うようにするために顧客自らに商品を取り出してもらう、所謂、セルフ販売方式を行うことはできないという問題があった。
【０００４】
そこで、セルフ販売方式の特徴を対面販売方式のショーケースに取り入れる場合には、商品陳列室の透明な前面ガラスの一部を着脱方式にしたり、又は左右方向への引き戸扉方式にする等の改造を行って、商品を前面から取り出すことのできるセルフ販売方式を採用することが考えられる。しかしながら、係る場合には、構造上、複雑なものとなり、ショーケース自体の前面からの美観を損ねることとなり、意匠的効果も劣り、好ましくない。
【０００５】
そこで、本発明は従来の技術的課題を解決するために成されたものであり、店員が商品を手渡す対面販売に加えて、顧客自らが商品を手にとって商品を選択したり、また混雑する時間帯においては販売促進のために顧客自らに商品を取り出してもらう、所謂、セルフ販売方式を行うことができるショーケースを提供することを目的とするものである。
【０００６】
【課題を解決するための手段】
本発明は、ショーケースの基台の上面に商品陳列部を設け、斜め前下方へ傾斜した透明の前壁と、後壁と、左右側壁と、前記前壁と前記後壁とに渡る上壁とを有して前記陳列部を覆うように陳列室カバー部を設けてなるものであって、前壁と上壁とは一体の透明板構成であって陳列室カバー部の基体に対して開閉可能に支持された開閉扉体を構成し、この開閉扉体は、開閉支持機構を有して開閉支持機構により、開閉扉体が商品陳列部を閉じた状態から前壁が商品陳列部の上方位置へ水平状態に回動して商品陳列部の前面を開くと共に、開閉支持機構は、開閉扉体が商品陳列部を閉じた状態で上壁と後壁に沿った状態となることを特徴とする。
【０００７】
本発明によれば、ショーケースの基台の上面に商品陳列部を設け、斜め前下方へ傾斜した透明の前壁と、後壁と、左右側壁と、前記前壁と前記後壁とに渡る上壁とを有して前記陳列部を覆うように陳列室カバー部を設けてなるショーケースにおいて、前壁と上壁とは一体の透明板構成であって陳列室カバー部の基体に対して開閉可能に支持された開閉扉体を構成し、この開閉扉体は、開閉支持機構を有して開閉支持機構により、開閉扉体が商品陳列部を閉じた状態から前壁が商品陳列部の上方位置へ水平状態に回動して前記商品陳列部の前面を開くので、開閉扉体の上前方から商品陳列部を透視できるショーケースとして、店員が商品を手渡す対面販売に加えて、顧客自らが商品を手にとって商品を選択したり、また混雑する時間帯においては販売促進のために顧客自らに商品を取り出してもらう、所謂、セルフ販売方式を行うことができるショーケースとして機能させることができる。
【０００８】
また、開閉扉体は開いた状態が水平状態を保ちながら回動するため、セルフ販売へ切り替える際に、かなり低い位置で開閉扉体の開閉操作を行うことができるようになり、容易にセルフ販売への切換を行うことができるようになる。
【０００９】
更に、開閉支持機構は、開閉扉体が商品陳列部を閉じた状態で上壁と後壁に沿った状態となるので、ショーケースとしての見栄えの低下を極力少なくすることができる。
【００１０】
請求項２の発明のショーケースは、請求項１の発明に加えて、水平状態において、開閉扉体の前端は、その上方からの塵埃等から商品陳列部の商品を保護するように商品陳列部の上方空間の手前側まで延びたことを特徴とする。
【００１１】
請求項２の発明によれば、請求項１の発明に加えて、水平状態において、開閉扉体の前端は、その上方からの塵埃等から商品陳列部の商品を保護するように商品陳列部の上方空間の手前側まで延在して形成されているため、開閉扉体の前端は、その上方からの顧客のくしゃみ等から商品陳列部の商品を保護するように作用できるため、セルフ販売方式での商品の衛生を考慮した陳列ショーケースを提供できるようになる。
【００１２】
請求項３の発明のショーケースは、請求項１又は請求項２の発明に加えて、後壁を透明扉にて構成したことを特徴とする。
【００１３】
請求項３の発明によれば、請求項１又は請求項２の発明に加えて、後壁を透明扉にて構成したので、ガラス張りの陳列ショーケースとして衛生的感覚を与えることができるようになる。
【００１４】
請求項４の発明のショーケースは、請求項１、請求項２又は請求項３の発明に加えて、後壁を、左右方向へ引き違いにて開閉できる扉構成としたことを特徴とする。
【００１５】
請求項４の発明によれば、請求項１、請求項２又は請求項３の発明に加えて、後壁を、左右方向に引き違いにて開閉できる扉構成としたので、対面販売方式に適したショーケースを提供できるようになる。
【００１６】
請求項５の発明のショーケースは、請求項１又は請求項２の発明に加えて、前壁の下端部には開閉扉体を開閉するための取っ手部を設け、開閉支持機構は、それぞれ離れた位置において一端が陳列室カバー部の基体に回動可能に支持され他端が開閉扉体の上壁に回動可能に支持された第１ステー及び第２ステーを有し、開閉扉体が閉じた状態では第１ステー及び第２ステーが重なり合った状態になり、開閉扉体が開いた水平状態では第１ステー及び第２ステーが重なり状態から離れて併設状態となるリンク機構ヒンジを構成することを特徴とする。
【００１７】
請求項５の発明によれば、請求項１又は請求項２の発明に加えて、前壁の下端部には開閉扉体を開閉するための取っ手部を設け、開閉支持機構は、それぞれ離れた位置において一端が陳列室カバー部の基体に回動可能に支持され他端が開閉扉体の上壁に回動可能に支持された第１ステー及び第２ステーを有し、開閉扉体が閉じた状態では第１ステー及び第２ステーが重なり合った状態になり、開閉扉体が開いた水平状態では第１ステー及び第２ステーが重なり状態から離れて併設状態となるリンク機構ヒンジを構成するので、第１ステー及び第２ステーによって、開閉扉体が閉じた状態と水平状態に開いた状態に安定的に開閉でき、そのとき開閉扉体の前壁は閉じた状態から水平状態へと動くので前壁を持ち上げて開閉操作する場合にも台脚無しで開閉を容易に行うことができる。
【００１８】
請求項６の発明のショーケースは、請求項１、請求項２又は請求項５の発明に加えて、開閉扉体の上壁の後端には、開閉扉体を開閉するための取っ手部を設けたことを特徴とする。
【００１９】
請求項６の発明によれば、請求項１、請求項２又は請求項５の発明に加えて、開閉扉体の上壁の後端には、開閉扉体を開閉するための取っ手部を設けたので、ショーケースの前方に移動することなく、ショーケースの後方から開閉扉体の開閉を行うことができる。これにより、特に、対面販売方式からセルフ販売方式に切り替える際に、後方から開閉扉体を開放することにより容易に開閉扉体の開閉を行うことができるため、対面販売方式及びセルフ販売方式の両者の販売形式を採用するのに適したショーケースを提供することができる。
【００２０】
また、ショーケースの後方から開閉扉体の上壁の後端に設けられた取っ手部を手前側に引くことによって、開閉扉体の陳列室カバーの基体に対する開閉支持機構の第１ステー及び第２ステーが重なり合った状態から、リンク機構ヒンジにより両者が離れた状態となり、これにより、開閉扉体が閉じた状態と水平状態に開いた状態に安定的に開閉でき、そのとき開閉扉体の前壁は閉じた状態から水平状態へと移動するので容易に開閉扉体の開閉作業を行うことができる。
【００２１】
【発明の実施の形態】
次に、本発明の実施の形態について説明する。図１乃至図３は本発明の実施形態を示す。図１は冷蔵ショーケースの縦断側面図、図２は図１の冷蔵ショーケースの右上部分の斜視図、図３は図１の冷蔵ショーケースの開閉扉体の開閉動作説明図を示している。
【００２２】
図１乃至図３において、１は、ケーキ類、惣菜、ハム類などの冷蔵食品を貯蔵する冷蔵ショーケースであり、本発明が対象とするショーケースの１種類である。２はショーケース１の基台を構成する部分であり、係る基台２の下部には冷凍システムの図示しない冷媒圧縮機、冷媒凝縮器、送風機等を収納する機械室４が形成されている。そして、この基台２の上面には、商品を陳列するための商品陳列部３が構成されている。
【００２３】
また、商品陳列部３内には、略水平状態に設置した棚板５が架設されており、この棚板５上には、商品が陳列される。更に、この棚板５のほぼ後ろ半分に位置する後部には、棚板５よりも一段高く形成された商品載置棚６が設けられている。これにより、商品陳列部３の後方に陳列される商品の陳列効果を向上させることができる。
【００２４】
一方、基台２内の冷却室７には、前記冷凍システムを構成する冷却器８と冷気循環用送風機９が設置され、冷却器８で冷却された冷気は送風機９にて吹出口１０から商品陳列部３へ循環された後、吸込口１１へ流入し、冷却室７内に帰還する。これにより、商品陳列部３内は所定の温度にまで冷却され、商品陳列部３内に陳列された商品を冷却することができる。
【００２５】
図１において、１２は商品陳列部３を基台２の上方から覆う陳列室カバー部であり、斜め前下方へ傾斜した透明の前壁１３と、後壁１４と、透明の左右側壁１５と、前壁１３と後壁１４とに渡って形成される上壁１６とにより構成されている。前壁１３と上壁１６とは強化ガラス又は強化プラスチック等で一体成形されており、陳列室カバー部１２の基台１７に対してヒンジ機構１８にて開閉可能に支持された開閉扉体２０を構成している。更に、後壁１４は左右方向へ引き違いに開閉できる複数の透明なカバー構成とされているため、ショーケース１の前後左右及び上方から商品陳列部３内に陳列された商品を視認することができ、陳列効果を向上させることができるようになる。
【００２６】
一方、前記ヒンジ機構１８は、開閉扉体２０の上壁１６の左右端部に設けられ、一端を開閉扉体２０の上壁１６の左右端部に回動可能に取り付けた第１ステー２１及び第２ステー２２の組み合わせにて構成されている。第１ステー２１及び第２ステー２２はそれぞれ離れた位置において一端が陳列室カバー部１２の基体１７に回動可能に支持され、他端が開閉扉体２０の上壁１６に回動可能に支持されている。また、前記基体１７は陳列室カバー部１２の骨格の機能をなしており、基台２の後上部から斜め上方に延びて、左右側壁１５の上部支持をし、また透明扉１９のレールが基体１７に取り付けられている。
【００２７】
開閉扉体２０は、商品陳列部３を閉じた状態（図１の実線位置）から商品陳列部３の前面を開いて開閉扉体２０の上前方から商品陳列部３を透視できるように前壁１３が商品陳列部３の上方へ水平状態の位置（図１の点線位置）へ回動できるようにヒンジ機構１８にて支持されている。開閉扉体２０の開閉回動状態は図３に示す。図３において点線は開閉扉体２０の回動途中の状態を示す。このとき開閉扉体２０の前壁１３は閉じた状態から水平状態へと動くので、前壁１３が作業者の身長よりも高い位置へ大きく跳ね上がることがない。このため、前壁１３の後述の取っ手部２４を持ち上げて、又は後述する取っ手部３０を手前側に引き下げて開閉操作する場合にも、かなり低い位置で行えるので操作が容易であり、台脚無しで開閉を行うことができる。また、第１ステー２１及び第２ステー２２は、開閉扉体２０を閉じた位置では図１の実線のように上壁１６と後壁１４とに沿って重なり合った状態になり、ショーケースとしての見栄えの低下を極力少なくし、また開閉扉体２０が開いた水平状態では第１ステー２１及び第２ステー２２が前記重なり状態から離れて併設状態となる、所謂リンク機構ヒンジを構成する。
【００２８】
このショーケース１は、開閉扉体２０が開いた水平状態においてショーケース１の前面から商品陳列部３の商品を顧客が自由に取り出せる、所謂セルフサービス状態にできるものであり、商品の陳列効果をも考慮して、ショーケース１の全体の高さは１１００ｍｍ乃至１２００ｍｍ程度に構成している。このため、顧客はこのショーケース１の上前方から商品陳列部３の商品を見下ろすようにして眺めることができる。本発明では、このセルフサービス状態における商品陳列部３の商品の衛生を考慮して、開閉扉体２０が開いた水平状態において、その上方からの顧客のくしゃみ等から商品陳列部３の商品を保護するように、開閉扉体２０の前端２３が商品陳列部３の上方空間の手前側まで延びて、所謂スニーズガードの役目をしている。
【００２９】
前壁１３の下端には、ほぼその横幅の長さに渡って開閉扉体２０を開閉するための取っ手部２４を設け、開閉扉体２０を閉じたとき基台２の前壁に設けたシールパッキングに取っ手部２４が当接して開閉扉体２０の衝撃緩和を行う。開閉扉体２０の開閉が衝撃を伴うような急激な開閉動作にならないように、一端が第１ステー２１又は第２ステー２２に取り付けられ、他端が開閉扉体２０に取り付けられたダンパー機構を備える。このダンパー機構は、空気又はオイルを徐々に圧縮しつつシリンダー内をピストンが緩やかに往復運動する公知の構成のものが採用される。２５は商品陳列部３の商品を上方から蛍光ランプで照らす照明器具であり、基体１７に固定されている。
【００３０】
次に、他の実施例としての陳列室カバー部２９について図４乃至図７を参照して説明する。陳列室カバー部２９は、前記陳列室カバー部１２と同様に商品陳列部３を基台２の上方から覆うものであり、斜め前下方へ傾斜した透明の前壁３１と、前記後壁１４と同様に構成される図示しない後壁と、透明の図示しない左右側壁と、前壁３１と後壁とに渡って形成される上壁３２とにより構成されている。また、前壁３１と上壁３２とは強化ガラス又は強化プラスチック等で一体成形されており、陳列室カバー部２９の基体３３に対してヒンジ機構３４にて開閉可能に支持された開閉扉体３５を構成している。
【００３１】
前記ヒンジ機構３４は、開閉扉体３５の上壁３２の左右端部に設けられ、一端を開閉扉体３５の上壁３２の左右端部に回動可能に取り付けた第１ステー３６及び第２ステー３７の組み合わせにて構成されている。第１ステー３６及び第２ステー３７はそれぞれ離れた位置において一端が陳列室カバー部２９の基体３３に回動可能に支持され、他端が開閉扉体３５の上壁３２に回動可能に支持されている。また、前記基体３３は陳列室カバー部２９の骨格の機能をなしている。
【００３２】
開閉扉体３５は、商品陳列部３を閉じた状態（図４の位置）から商品陳列部３の前面を開いて開閉扉体３５の上前方から商品陳列部３を透視できるように前壁３１が商品陳列部３の上方へ水平状態の位置（図６の位置）へ回動できるようにヒンジ機構３４にて支持されている。開閉扉体３５の開閉回動状態は図５に示す。このとき開閉扉体３５の前壁３１は閉じた状態から水平状態へと動くので、前壁３１が作業者の身長よりも高い位置へ大きく跳ね上がることがない。このため、後述する取っ手部３０を手前側に引き下げて開閉操作する場合にも、かなり低い位置で行えるので操作が容易であり、台脚無しで開閉を行うことができる。また、第１ステー３６及び第２ステー３７は、開閉扉体３５を閉じた位置では図４の如く上壁３２と後壁とに沿って重なり合った状態になり、ショーケースとしての見栄えの低下を極力少なくし、また開閉扉体３５が開いた水平状態では第１ステー３６及び第２ステー３７が前記重なり状態から離れて併設状態となる、所謂リンク機構ヒンジを構成する。
【００３３】
上壁３２の後端には、把手取付部材３８が設けられており、係る把手取付部材３８の後端下部には、取っ手部３０が設けられている。この把手取付部材３８及び取っ手部３０は、例えば上壁３２の後端の両端部などに設けられており、係る取っ手部３０を手前側に引き下げることにより、開閉扉体３５を開放することができる。また、開放された開閉扉体３５を閉鎖する際には、前記取っ手部３０を上方に引き上げることにより開閉扉体３５を閉鎖することができる。
【００３４】
また、ショーケース１の後方から開閉扉体３５の上壁３２の後端に設けられた取っ手部３０を手前側に引くことによって、開閉扉体３５の陳列室カバー２９の基体３３に対する開閉支持機構の第１ステー３６及び第２ステー３７が重なり合った状態から、リンク機構ヒンジにより両者が離れた状態となり、これにより、開閉扉体３５が閉じた状態と水平状態に開いた状態に安定的に開閉でき、そのとき開閉扉体３５の前壁３１は閉じた状態から水平状態へと移動するので容易に開閉扉体３５の開閉作業を行うことができる。
【００３５】
このショーケース１は、あまり混雑しない時間帯では、開閉扉体２０が閉じられた状態であり、このときは店員が、背面の透明扉１９から商品を取り出して顧客に渡す、所謂対面販売方式がとられる。ところが夕刻等の混雑の時間帯では、対面販売では対応不足が生じるため、それを補うためにも、店員が開閉扉体２０を水平状態に開いて、対面販売に加えてセルフ販売も取り入れ、販売促進を行うことができるものである。開閉扉体２０が開いた水平状態において、この開閉扉体２０の上面は、商品を展示する展示部とすることができるので、より一層の販売促進に寄与できる構成である。
【００３６】
この場合において、対面販売方式からセルフ販売方式に切り替える際に、後方から開閉扉体３５を開放することにより容易に開閉扉体３５の開閉を行うことができるため、対面販売方式及びセルフ販売方式の両者の販売形式を採用するのに適する。本発明が対象とするショーケース１は、上記の冷蔵ショーケースの他に食品を暖めて陳列するタイプのものにも適用できる。
【００３７】
【発明の効果】
以上詳述した如く本発明によれば、ショーケースの基台の上面に商品陳列部を設け、斜め前下方へ傾斜した透明の前壁と、後壁と、左右側壁と、前記前壁と前記後壁とに渡る上壁とを有して前記陳列部を覆うように陳列室カバー部を設けてなるショーケースにおいて、前壁と上壁とは一体の透明板構成であって陳列室カバー部の基体に対して開閉可能に支持された開閉扉体を構成し、この開閉扉体は、開閉支持機構を有して開閉支持機構により開閉扉体が商品陳列部を閉じた状態から前壁が商品陳列部の上方位置へ水平状態に回動して商品陳列部の前面を開くので、開閉扉体の上前方から商品陳列部を透視できるショーケースとして、店員が商品を手渡す対面販売に加えて、顧客自らが商品を手にとって商品を選択したり、また混雑する時間帯においては販売促進のために顧客自らに商品を取り出してもらう、所謂、セルフ販売方式を行うことができるショーケースとして機能させることができる。
【００３８】
また、開閉扉体は開いた状態が水平状態を保つように回動するため、セルフ販売へ切り替える際に、かなり低い位置で開閉扉体の開閉操作を行うことができるようになり、容易にセルフ販売への切換を行うことができるようになる。
【００３９】
更に、開閉支持機構は、開閉扉体が商品陳列部を閉じた状態で上壁と後壁に沿った状態となるので、ショーケースとしての見栄えの低下を極力少なくすることができる。
【００４０】
請求項２の発明によれば、請求項１の発明に加えて、水平状態において、開閉扉体の前端は、その上方からの塵埃等から商品陳列部の商品を保護するように商品陳列部の上方空間の手前側まで延在して形成されているため、開閉扉体の前端は、その上方からの塵埃等から商品陳列部の商品を保護するように作用できるため、セルフ販売方式での商品の衛生を考慮した陳列ショーケースを提供できるようになる。
【００４１】
請求項３の発明によれば、請求項１又は請求項２の発明に加えて、後壁を透明扉にて構成したので、ガラス張りの陳列ショーケースとして衛生的感覚を与えることができるようになる。
【００４２】
請求項４の発明によれば、請求項１、請求項２又は請求項３の発明に加えて、後壁を、左右方向に引き違いにて開閉できる扉構成としたので、対面販売方式に適したショーケースを提供できるようになる。
【００４３】
請求項５の発明によれば、請求項１又は請求項２の発明に加えて、前壁の下端部には開閉扉体を開閉するための取っ手部を設け、開閉支持機構は、それぞれ離れた位置において一端が陳列室カバー部の基体に回動可能に支持され他端が開閉扉体の上壁に回動可能に支持された第１ステー及び第２ステーを有し、開閉扉体が閉じた状態では第１ステー及び第２ステーが重なり合った状態になり、開閉扉体が開いた水平状態では第１ステー及び第２ステーが重なり状態から離れて併設状態となるリンク機構ヒンジを構成するので、第１ステー及び第２ステーによって、開閉扉体が閉じた状態と水平状態に開いた状態に安定的に開閉でき、そのとき開閉扉体の前壁は閉じた状態から水平状態へと動くので前壁を持ち上げて開閉操作する場合にも台脚無しに開閉が容易である。
【００４４】
請求項６の発明によれば、請求項１、請求項２又は請求項５の発明に加えて、開閉扉体の上壁の後端には、開閉扉体を開閉するための取っ手部を設けたので、ショーケースの前方に移動することなく、ショーケースの後方から開閉扉体の開閉を行うことができる。これにより、特に、対面販売方式からセルフ販売方式に切り替える際に、後方から開閉扉体を開放することにより容易に開閉扉体の開閉を行うことができるため、対面販売方式及びセルフ販売方式の両者の販売形式を採用するのに適したショーケースを提供することができる。
【００４５】
また、ショーケースの後方から開閉扉体の上壁の後端に設けられた取っ手部を手前側に引くことによって、開閉扉体の陳列室カバーの基体に対する開閉支持機構の第１ステー及び第２ステーが重なり合った状態から、リンク機構ヒンジにより両者が離れた状態となり、これにより、開閉扉体が閉じた状態と水平状態に開いた状態に安定的に開閉でき、そのとき開閉扉体の前壁は閉じた状態から水平状態へと移動するので容易に開閉扉体の開閉作業を行うことができる。
【図面の簡単な説明】
【図１】  本発明の実施形態に係る冷蔵ショーケースの縦断側面図である。
【図２】  図１の冷蔵ショーケースの右上部分の斜視図である。
【図３】  図１の冷蔵ショーケースの開閉扉体の開閉動作説明図である。
【図４】  他の実施例としての陳列室カバー部の縦断側面図である。
【図５】  他の実施例としての開閉扉体の開閉途中状態の縦断側面図である。
【図６】  他の実施例としての開閉扉体の開放状態の縦断側面図である。
【図７】  他の実施例としての開閉扉体の縦断側面図である。
【符号の説明】
１  ショーケース
２  基台
３  商品陳列部
８  冷却器
１２、２９  陳列室カバー部
１３、３１  前壁
１４  後壁
１５  左右側壁
１６、３２  上壁
１７、３３  基体
１８、３４  ヒンジ機構
１９  透明扉
２０、３５  開閉扉体
２１、３６  第１ステー
２２、３７  第２ステー
２４、３０  取っ手部
３８  把手取付部材
【図１】
0004175771.tif 000002
【図２】
0004175771.tif 000003
【図３】
0004175771.tif 000004
【図４】
0004175771.tif 000005
【図５】
0004175771.tif 000006
【図６】
0004175771.tif 000007
【図７】
0004175771.tif 000008